(57)【要約】    【課題】  操作性を向上させ電源コードをコンパクトにかつ容易に収容することができるアイロンを提供する。    【解決手段】  コードリール60を上部空間62，下部空間63を介して把手９とカバー８との間に設け、電源コード61の出口68を把手９とカバー８とから形成し、コードリール60の巻取り釦72を把手９の下部に左右動自在に設けた。また、コードリール60を回転させるゼンマイ67をコードリール60の下部に設けた。操作性を向上させ電源コードをコンパクトにかつ容易に収容することができる。【選択図】    図１
2005192876.tif 000002
【特許請求の範囲】
【請求項１】
設けられた加熱手段によって加熱されるベースと、このベースを覆うカバーと、このカバーに取付けられた開口した形状の把手と、コードリールとを具備し、前記コードリールを空間を介して前記把手と前記カバーとの間に設け、コードの出口を前記把手と前記カバーとから形成し、巻取り手段を前記把手の下部に設けたことを特徴とするアイロン。
【請求項２】
前記コードリールを回転させる回転手段を前記コードリールに設けたことを特徴とする請求項１記載のアイロン。
【請求項３】
設けられた加熱手段によって加熱されるベースと、このベースに形成された気化室と、前記ベースを覆うカバーと、このカバーに取付けられるとともに把持部を有し開口した形状の把手と、液体を蓄えるタンクと、切換手段と、液体を送り込む送液装置とを操作する操作手段とを具備し、調節手段を回動自在として前記操作手段よりも後方に設けたことを特徴とするアイロン。
【発明の詳細な説明】
【技術分野】
【０００１】
本発明は、衣類などのプレス仕上げに使用するアイロンに関する。
【背景技術】
【０００２】
従来、この種のアイロンとして、例えば図７，図８に示すように、ヒータ101によって加熱されるベース102と、このベース102を覆うカバー103と、このカバー103の上部に固定された把手104とを備え、この把手104の後方にはヒータ101と電気的に接続された電源コード105を巻き取るコードリール106が配設されたものが知られている。しかしながら、このような後方にコードリール106を設けた構造のものでは、コードリール106が邪魔になって把手104の後方を開口した形状とすることができなかった。したがって、把手104の後方が閉じた形状のためにアイロン掛けの操作性を向上することができないという問題があった。
【０００３】
また、温度つまみ107がスライド方式になっていると、アイロン掛け中に温度つまみ107に手が触れてしまい、温度が狂いやすいという問題があった。なお、温度つまみを回転式として温度つまみに手を触れにくくし、このような問題を解決できる構造のものとしては特開昭６１−１６３０００号公報などに開示されているものが知られているが、この構造のものは、温度つまみが本体の前部にあるため、操作性が悪かった。また、特に、スチームアイロンの場合は、気化室への水の供給と停止とを切換えたり、気化室へ一時的に多量の水を送り込むポンプ装置とを操作したりする操作釦が温度つまみよりも後方にあると、温度つまみの操作性が悪くなるといった問題があった。
【特許文献１】特開昭６１−１６３０００号公報
【発明の開示】
【発明が解決しようとする課題】
【０００４】
そこで、本発明は、操作性を向上させるとともに電源コードをコンパクトにかつ容易に収容することができるアイロンを提供することを第１の目的とする。
【０００５】
また、アイロン掛け中の温度の狂いが生ぜずかつ操作性を向上させることができるアイロンを提供することを第２の目的とする。
【課題を解決するための手段】
【０００６】
請求項１の発明のアイロンでは、コードリールを空間を介して把手とカバーとの間に設け、コードの出口を把手とカバーとから形成し、巻取り手段を把手の下部に設けたことにより、後部が開口した形状の把手を形成することができ、使い勝手を向上させることができる。また、コードをコンパクトにかつ容易に収容することができ、容易にコードを出し入れでき操作性が向上する。
【０００７】
請求項２の発明のアイロンでは、コードリールを回転させる回転手段をコードリールに設けたことにより、確実にコードを巻き取ることができる。
【０００８】
請求項３の発明のアイロンでは、調節手段を回動自在として操作手段よりも後方に設けたことにより、アイロン掛け中に調節手段に手が触れて温度が狂うことを防止できるとともに、操作性を向上できる。
【発明の効果】
【０００９】
請求項１の発明のアイロンでは、後部が開口した形状の把手を形成することができ、使い勝手を向上させることができる。また、コードをコンパクトにかつ容易に収容することができ、容易にコードを出し入れでき操作性が向上する。
【００１０】
請求項２の発明のアイロンでは、確実にコードを巻き取ることができる。
【００１１】
請求項３の発明のアイロンでは、アイロン掛け中に調節手段に手が触れて温度が狂うことを防止できるとともに、操作性を向上できる。
【発明を実施するための最良の形態】
【００１２】
以下、本発明のアイロンの実施例について、添付した図１〜図６を参照しながら説明する。
【実施例１】
【００１３】
１は本体たるアイロン本体であって、このアイロン本体１は加熱手段としてヒータ２を埋設したベース３を下部に備えている。このベース３の底面には、固定部材としてのネジ４によって、ベース裏板５が着脱可能に固定されている。ベース３の内部には、ヒータ２の近傍に位置して蒸気室すなわち気化室６が形成され、この気化室６に連通する複数の噴出孔７がベース３の下面に設けられる。また、８はベース３の上部を覆って設けられたカバー、９はカバー８の上部に固定された把手である。
【００１４】
把手９の上側は把手カバー10によって覆われ、把手９にはアイロン本体１を把持する際に手を差し入れるための空洞11が形成される。また、把手９の上部と把手カバー10とで、アイロン本体１を把持するための把持部12が形成されている。そして、把持部12は空洞11から開口部13を介して後方へ開口した形状となっており、把持部12の後方から空洞11へ手を差し入れることができるようになっている。
【００１５】
把手９の前方には、水タンクに相当する容器たるカセットタンク14がアイロン本体１に対し着脱自在に設けられている。カセットタンク14は例えば合成樹脂から形成され、上面から見た形状が略Ｕ字状で、その両側が把手９の前端部側から前後方向における略中央部の両側にかけて跨るように構成されている。
【００１６】
カセットタンク14の前方上部には、注水口カバー15が設けられ、この注水口カバー15は注水口16を備えている。そして、この注水口16からカセットタンク14内へ水を収容し、かつ、カセットタンク14内の不要な水を廃棄できるようになっている。
【００１７】
カセットタンク14のロック機構として、図３に示すように、把手９の一側面にやや突出してタンクロック釦18が設けられており、このタンクロック釦18の操作に連動して上下動する昇降体19の下部に突出したロック部21が、凹部22に係止する構成になっている。なお、本実施例では、着脱式のカセットタンク14を例にとって説明しているが、上記ロック機構を備えていない固定式の水タンクであってもよい。また、水タンクを備えていないドライ専用のアイロンであってもよい。
【００１８】
カセットタンク14内には、一時的に多量の水を気化室６へ送り込む送液装置としてのポンプ装置23が設けられている。このポンプ装置23は、シリンダー24と、このシリンダー24内を上下動可能に形成されたピストン25と、このピストン25を連動させる操作手段たる操作釦26とを備えている。そして、操作釦26を下方へ押すことによってポンプ装置23によりカセットタンク14内の水が一時的に多量に気化室６へ供給され、気化室６と連通する噴出口７からスチームを一時的に多量に噴出させるようになっている。
【００１９】
カセットタンク14の内部には滴下部に相当する弁装置27が設けられており、この弁装置27の下部には、気化室６に連通する導水路たる通水継手28が設けられている。弁装置27は、カセットタンク14の下面部にあって、支持体29により直立状態にかつ上下に摺動自在に支持された切換手段たるスチーム開閉体としてのスチーム開閉棒30と、このスチーム開閉棒30の下端に設けられた円盤状の弁体31と、スチーム開閉棒30の上方に弁体31を常時下方に付勢するスプリング32とを備え、スチーム開閉棒30の下端部に形成した弾性を有する円板状の弁体31がカセットタンク14の底面に形成された弁孔たる流出口33の中心部に臨んで設けられている。また、スチーム開閉棒30は、下端を流出口33に対向させており、上端をカセットタンク14より上方へ突出させている。そして、スチーム開閉棒30の上下動により、弁体31が開閉するようになっている。
【００２０】
また、通水継手28とベース３との間には、ベース３からの熱を遮断する遮熱板34が介在してある。この遮熱板34の下方には、気化室６の上部開口部を覆うようにして蓋板35が設けられる。また、流出口33の下部は、通水継手28を介して気化室６と連通している。36は、通水継手28の途中に設けられたノズルであって、このノズル36を開閉する開閉弁37が装着される。
【００２１】
また、38はカセットタンク14と一体に設けられた操作手段としての操作釦であり、この操作釦38の操作に連動して、カム機構39を介してスチーム開閉棒30が上下動するように構成されている。そして、操作釦38を押すことにより、スチーム開閉棒30が上昇位置または下降位置に切り替わるようになっている。
【００２２】
開閉弁37の下端は、スプリング40により常時下方に付勢され、ベース３の凹部43に向けて下方に突出している。このベース３の凹部43には、感熱応動体に相当する反転式のバイメタル44が収容されるとともに、バイメタル44の上面に対向して、開閉弁37の下端が位置している。そして、凹部43の近傍にある気化室６が所定の温度に達すると、バイメタル44が凹部43の内部で反転し、スプリング40の付勢に抗して開閉弁37を押し上げることにより、ノズル36を開くように構成してある。
【００２３】
把手９の上部における把持部12の付根部近傍には、操作パネル48が設けられるとともに、ベース３の設定温度を変えるための調節手段に相当する温度つまみ49が配設されている。また、操作パネル48の上面には、図示しないが、例えば設定温度を示す「高」、「中」、「低」や、切状態を示す「切」の文字などが表示されている。温度つまみ48は把手９の上面に突出しており、略円筒形状の把持部12の軸心と略平行な回転軸を中心に回動自在に設けられている。そして、この温度つまみ48を回転させて操作パネル48に表示された目盛り（図示せず）に合わせ、温度設定を行なうことができるように構成されている。また、温度つまみ48は、把手９上面において操作釦26，38よりも後方に設けられ、温度調節がしやすいように構成されている。
【００２４】
把持部12の内部には、複数の段差を有するカム部50が温度つまみ48と一体に形成されている。そして、カム部50の下面に操作体51の上端が当接し、この操作体51は上下動可能に設けられている。また、操作体51は、カム部50に当接する合成樹脂製の操作棒52と、この操作棒52の下部の金属製の調節軸53とによって構成される。
【００２５】
54は、アイロン本体１の後方下部に設けられたサーモスタットである。このサーモスタット54は、ベース３の温度を感知して形状が変化する感熱応動体としてのバイメタル55を備え、バイメタル55が感知するベース３の温度に応じて、接点56の開閉を切り替えるようになっている。バイメタル55は周知のように、温度の変化により一定方向に湾曲する性質を有するもので、その基端部が固着具によりベース３の掛面の平坦面に密着するとともに、その先端部はベース３の掛面の温度上昇に伴い上方に撓むように配置されている。一方、使用者による温度つまみ49の操作によりカム部50が温度つまみ49と一体に回転し、カム部50の回転に連動して操作体51が上下動するようになっている。そして、この操作体51の上下動に応じて接点56が開閉し、この開閉動作によりヒータ２の通電が制御され、この制御によりベース３の温度が前記温度つまみ49で選択された設定温度に保たれるようになっている。なお、ベース３の温度制御にはサーモスタット54のほかに、マイクロコンピュータなどで構成される温度制御装置を用いてもよく、種々の変形実施が可能である。
【００２６】
一方、60は、ヒータ２に電気的に接続されたコードとしての電源コード61を巻き取り状態で収納するコードリールである。このコードリール60はアイロン本体１の後部に横置き状態で内蔵され、把手９との間に上部空間62、カバー８との間に下部空間63を介し、把手９とカバー８との間に設けられている。なお、上部空間62よりも下部空間63の容積は大きく形成されており、ベース３からの熱によりコードリール60が加熱される不具合を防止するようになっている。
【００２７】
また、コードリール60は、電源コード61を複数列で巻くことのできる幅に形成されたリール64と、このリール64を回転自在に保持する一対のケースとしての上部ケース65，下部ケース66とを備え、コードリール60の下部のリール64と下部ケース66との間には、リール64を回転させて電源コード61を巻き取るための回転手段としてのゼンマイ67が設けられている。また、図示しないが、コードリール60には電源コード61とヒータ２を電気的に接続するブラシ装置を備えている。また、電源コード61の出口68は把手９とカバー８との間に形成した孔により形成され、この出口68は、電源プラグ69がアイロン本体１の内部に入り込まない大きさに形成されている。
【００２８】
上部ケース65の上面および前方には、リール64の回転を一時的に止める金属製の巻取り金具70が前後動可能に設けられ、スプリング71により常時前方へ付勢されている。そして、リール64には図示しない溝が形成されており、この溝に巻取り金具70が係止することでリール64の回転が一時的に止まるようになっている。
【００２９】
72は巻取り手段としての巻取り釦であり、アイロン本体１の略中央であって、把持部12の付根の下方に、把手９の下部に設けられた孔部73から上方に突出して設けられている。この巻取り釦72は、孔部73とカバー８の上面に設けられた凹部74に左右動自在に設けられ、上面から見て左向きの矢印形状として方向性を持った形状となっている。そして、巻取り釦72を左向き、すなわち矢印形状の向きへ押すと、巻取り釦72に当接した巻取り金具70が後方に移動し、リール64との係合が解けるように構成されている。
【００３０】
つぎに、上記構成のアイロンにおける動作を説明する。予め注水口16から水をカセットタンク内14内に収容するとともに、このカセットタンク14を把手９の前方からアイロン本体１へ差し込むと、ロック部21が押し上げられ、最終的に凹部22にロック部21が係止することで、カセツトタンク14がアイロン本体１の所定位置にセットされる。
【００３１】
次いで、電源コード61をコードリール60から引き出して、電源プラグ69を図示しないコンセントに差し込む。このとき、リール64に形成された溝に巻取り金具70が係止することで、リール64は回転しない。と、アイロン本体１内のヒータ２へ通電され、ベース３が加熱される。その際、温度つまみ49による設定に応じて、サーモスタット54によりヒータ２への通電が制御され、これによりベース３の温度が調整される。なお、温度つまみ49は操作釦26，38よりも後方に設けてあるので、把持部12を把持したまま親指で温度つまみ49を操作することができる。また、温度つまみ49は、把持部12の軸心と略平行な回転軸を中心に回動自在としてあるので、温度つまみ49の回動方向が左右方向であり、アイロン掛け時に手が動く前後方向と直交しているため、誤って温度つまみ49に手が触れて設定温度が変化してしまうことを確実に防止できる。
【００３２】
また、カセットタンク14の弁体31を開いている場合、水がカセットタンク14内から流出口33を通ってベース３の気化室６に滴下供給され、ここでベース３の熱により水が蒸発して上記すなわちスチームが発生する。このスチームは噴出孔７から外部へ噴出する。また、操作釦26を下方へ押すと、ポンプ装置23によりカセットタンク14の水が一時的に多量に気化室６へ供給され、気化室６と連通する噴出口７からスチームが一時的に多量に噴出する。
【００３３】
アイロン掛けが終了し、電源プラグ69をコンセントから抜き、巻取り釦72を左向き、すなわち矢印形状の向きへ押すと、巻取り釦72に当接した巻取り金具70が後方に移動し、リール64との係合が解け、ゼンマイ67による付勢によって電源コード61を巻き取る向きにリール64が回転する。そして、電源プラグ69が出口68に引っかかることで、リール64の回転が停止し、電源コード61の巻取りが完了する。リール64の回転が停止すると、スプリング71の付勢によって巻取り釦72が元の位置に戻る。
【００３４】
以上のように、本実施例によれば、アイロン本体１の下部に設けられ加熱手段たるヒータ２によって加熱されるベース３と、このベース３の上面を覆うカバー８と、このカバー８の上部に固定された後部を開口した形状の把手９と、前記ヒータ２に電気的に接続されたコードたる電源コード61を巻き取るコードリール60とを具備し、前記コードリール60を上下に空間たる上部空間62，下部空間63を介して前記把手９と前記カバー８との間に設け、前記電源コード61の出口68を前記把手９と前記カバー８とから形成し、前記コードリール60の巻取り手段たる巻取り釦72を前記把手９の下部に左右動自在に設けたものである。
【００３５】
この場合、後部が開口した形状の把手９を形成することができ、使い勝手を向上させることができる。また、電源コード61をコンパクトにかつ容易に収容することができ、容易に電源コード61を出し入れでき操作性が向上する。
【００３６】
また、前記コードリール60を回転させる回転手段たるゼンマイ67を前記コードリール60の下部に設けたものであり、確実に電源コード61を巻き取ることができる。
【００３７】
さらに、アイロン本体１の下部に設けられヒータ２によって加熱されるベース３と、このベース３に形成された気化室６と、前記ベース３の上面を覆うカバー８と、このカバー８の上部に固定されるとともに把持部12を有し後部を開口した形状の把手９と、前記気化室６へ供給される水を蓄えるタンクたるカセットタンク14と、このカセットタンク14から前記気化室６への水の供給と停止とを切換える切換手段たるスチーム開閉棒30と前記気化室６へ一時的に多量の水を送り込む送液装置たるポンプ装置23とを操作する操作手段たる操作釦26，38とを具備し、前記ベース３の温度を調節する調節手段たる温度つまみ49を前記把持部12の軸心と略平行な回転軸を中心に回動自在として前記操作釦26，38よりも後方に設けたものである。
【００３８】
この場合、アイロン掛け中に温度つまみ49に手が触れて温度が狂うことを防止できるとともに、操作性を向上できる。
【００３９】
なお、本発明は上記実施例に限定されるものではなく、本発明の要旨の範囲において種々の変形実施が可能である。
【図面の簡単な説明】
【００４０】
【図１】本発明のアイロンの一実施例を示すアイロン本体の前後方向の縦断面図である。
【図２】同上側面図である。
【図３】同上上面図である。
【図４】同上図３のＡ−Ａ’線における断面図である。
【図５】同上正面図である。
【図６】同上左右方向の縦断面図である。
【図７】従来のアイロンの前後方向の縦断面図である。
【図８】同上側面図である。
【符号の説明】
【００４１】
１  アイロン本体
２  ヒータ（加熱手段）
３  ベース
６  気化室
８  カバー
９  把手
12  把持部
14  カセットタンク（タンク）
23  ポンプ装置（送液装置）
26  操作釦（操作手段）
30  スチーム開閉棒（切換手段）
38  操作釦（操作手段）
49  温度つまみ（調節手段）
60  コードリール
61  電源コード（コード）
62  上部空間（空間）
63  下部空間（空間）
67  ゼンマイ（回転手段）
68  出口
72  巻取り釦（巻取り手段）
【図１】
2005192876.tif 000003
【図２】
2005192876.tif 000004
【図３】
2005192876.tif 000005
【図４】
2005192876.tif 000006
【図５】
2005192876.tif 000007
【図６】
2005192876.tif 000008
【図７】
2005192876.tif 000009
【図８】
2005192876.tif 000010